【手続補正書】
【提出日】平成20年2月27日(2008.2.27)
【手続補正１】
【補正対象書類名】特許請求の範囲
【補正対象項目名】請求項１
【補正方法】変更
【補正の内容】
【請求項１】
移動体向けに地図情報を表示する装置であって、
前記移動体の通過および駐停車を含むイベントの発生した位置と、当該イベントの種類と、当該イベントの発生位置から一定の範囲内に存在するランドマークとを対応付けた情報であるイベント履歴情報、および、ランドマークの位置と、当該ランドマークが属するジャンルとを対応付けたランドマーク情報を取得し、前記ランドマーク情報を参照して、前記イベント履歴情報を前記ランドマークが属するジャンル毎に集計することにより、前記ジャンル毎の前記通過が発生した地点の数である通過発生地点数と、前記ジャンル毎の前記駐停車が発生した地点の数である駐停車発生地点数とを取得する発生位置数取得手段と、
前記通過発生地点数と前記駐停車発生地点数とが予め定めた条件を満たす近さにあるジャンルを表示ジャンルとして選択する表示ジャンル選択手段と、
選択された前記表示ジャンルに属するランドマークを、前記ランドマーク情報を参照することにより特定し、特定した当該ランドマークの位置を通過時刻の表示位置として決定する表示ランドマーク決定手段と、
決定された前記位置の通過予想時刻を算出する予想時刻算出手段と、
地図情報と、前記通過予想時刻が算出された前記位置と関連付けられた前記通過予想時刻とを含む画像を表示手段に表示させる表示制御手段とを備える
ことを特徴とする地図情報表示装置。
【手続補正２】
【補正対象書類名】特許請求の範囲
【補正対象項目名】請求項５
【補正方法】変更
【補正の内容】
【請求項５】
さらに、前記移動体が道路上で一定時間以上留まった場合に、駐停車イベントを検知するとともに、移動体の前方に存在するランドマークのうち、移動体の位置から所定の距離以内のランドマークを当該駐停車イベントが発生した位置に存在するランドマークとして検知する発生検知手段と、
前記発生検知手段により検知された前記駐停車イベントの発生位置と、イベントの種類である駐停車と、前記発生検知手段により検知された前記ランドマークと対応付けて蓄積するイベント履歴情報蓄積手段とを備える
ことを特徴とする請求項１に記載の地図情報表示装置。
【手続補正３】
【補正対象書類名】特許請求の範囲
【補正対象項目名】請求項８
【補正方法】変更
【補正の内容】
【請求項８】
移動体向けに地図情報を表示する地図情報表示方法であって、
イベントの発生した位置と、当該イベントの種類と、当該イベントの発生位置に存在するランドマークとを対応付けた情報であるイベント履歴情報を、前記ランドマークが属するジャンル毎に集計することにより得られる、前記ジャンル毎の通過というイベントが発生した地点の数である通過発生地点数と、前記ジャンル毎の駐停車というイベントが発生した地点の数である駐停車発生地点数とに基づいて、通過予想時刻を表示する地点が属するジャンルを表示ジャンルとして選択する表示ジャンル選択ステップと、
ランドマークの位置と、当該ランドマークが属するジャンルとを対応付けたランドマーク情報を参照することにより、選択された前記表示ジャンルに属するランドマークを特定し、特定した当該ランドマークの位置を通過時刻の表示位置として決定する表示ランドマーク決定ステップと、
決定された前記位置の通過予想時刻を算出する予想時刻算出ステップと、
地図情報と、前記通過予想時刻が算出された前記位置に関連付けられた前記通過予想時刻とを含む画像をモニタに表示させる表示制御ステップとを含む
ことを特徴とする地図情報表示方法。
【手続補正４】
【補正対象書類名】特許請求の範囲
【補正対象項目名】請求項９
【補正方法】変更
【補正の内容】
【請求項９】
移動体向けに地図情報を表示する地図情報表示プログラムであって、
イベントの発生した位置と、当該イベントの種類と、当該イベントの発生位置に存在するランドマークとを対応付けた情報であるイベント履歴情報を、前記ランドマークが属するジャンル毎に集計することにより得られる、前記ジャンル毎の通過というイベントが発生した地点の数である通過発生地点数と、前記ジャンル毎の駐停車というイベントが発生した地点の数である駐停車発生地点数とに基づいて、通過予想時刻を表示する地点が属するジャンルを表示ジャンルとして選択する表示ジャンル選択ステップと、
ランドマークの位置と、当該ランドマークが属するジャンルとを対応付けたランドマーク情報を参照することにより、選択された前記表示ジャンルに属するランドマークを特定し、特定した当該ランドマークの位置を通過時刻の表示位置として決定する表示ランドマーク決定ステップと、
決定された前記位置の通過予想時刻を算出する予想時刻算出ステップと、
地図情報と、前記通過予想時刻が算出された前記位置に関連付けられた前記通過予想時刻とを含む画像をモニタに表示させる表示制御ステップとをコンピュータに実行させる
ことを特徴とする地図情報表示プログラム。
【手続補正５】
【補正対象書類名】特許請求の範囲
【補正対象項目名】請求項１０
【補正方法】変更
【補正の内容】
【請求項１０】
演算装置と、記憶媒体とから構成される装置であって、
前記記憶媒体には、
イベントの発生した位置と、当該イベントの種類と、当該イベントの発生位置に存在す
るランドマークとを対応付けた情報であるイベント履歴情報と、
ランドマークの位置と、当該ランドマークが属するジャンルとを対応付けたランドマーク情報とが蓄積され、
前記演算部は、
前記イベント履歴情報を前記ランドマークが属するジャンル毎に集計することにより得られる、前記ジャンル毎の通過というイベントが発生した地点の数である通過発生地点数と、前記ジャンル毎の駐停車というイベントが発生した地点の数である駐停車発生地点数とに基づいて、通過予想時刻を表示する地点が属するジャンルを表示ジャンルとして選択する表示ジャンル選択ステップと、
選択された前記表示ジャンルに属するランドマークを、前記ランドマーク情報を参照することにより特定し、特定した当該ランドマークの位置を通過時刻の表示位置として決定する表示ランドマーク決定ステップと、
決定された前記位置の通過予想時刻を算出する予想時刻算出ステップと、
地図情報と、前記通過予想時刻が算出された前記位置に関連付けられた前記通過予想時刻とを含む画像をモニタに表示させる表示制御ステップとを実行する
ことを特徴とする装置。
【手続補正６】
【補正対象書類名】明細書
【補正対象項目名】００１１
【補正方法】変更
【補正の内容】
【００１１】
上記目的を達成するために、本発明に係る地図情報表示装置は、移動体向けに地図情報を表示する装置であって、前記移動体の通過および駐停車を含むイベントの発生した位置と、当該イベントの種類と、当該イベントの発生位置から一定の範囲内に存在するランドマークとを対応付けた情報であるイベント履歴情報、および、ランドマークの位置と、当該ランドマークが属するジャンルとを対応付けたランドマーク情報を取得し、前記ランドマーク情報を参照して、前記イベント履歴情報を前記ランドマークが属するジャンル毎に集計することにより、前記ジャンル毎の前記通過が発生した地点の数である通過発生地点数と、前記ジャンル毎の前記駐停車が発生した地点の数である駐停車発生地点数とを取得する発生位置数取得手段と、前記通過発生地点数と前記駐停車発生地点数とが予め定めた条件を満たす近さにあるジャンルを表示ジャンルとして選択する表示ジャンル選択手段と、選択された前記表示ジャンルに属するランドマークを、前記ランドマーク情報を参照することにより特定し、特定した当該ランドマークの位置を通過時刻の表示位置として決定する表示ランドマーク決定手段と、決定された前記位置の通過予想時刻を算出する予想時刻算出手段と、地図情報と、前記通過予想時刻が算出された前記位置と関連付けられた前記通過予想時刻とを含む画像を表示手段に表示させる表示制御手段とを備える。
【手続補正７】
【補正対象書類名】明細書
【補正対象項目名】００２０
【補正方法】変更
【補正の内容】
【００２０】
さらに好ましくは、さらに、前記移動体が道路上で一定時間以上留まった場合に、駐停車イベントを検知するとともに、移動体の前方に存在するランドマークのうち、移動体の位置から所定の距離以内のランドマークを当該駐停車イベントが発生した位置に存在するランドマークとして検知する発生検知手段と、前記発生検知手段により検知された前記駐停車イベントの発生位置と、イベントの種類である駐停車と、前記発生検知手段により検知された前記ランドマークと対応付けて蓄積するイベント履歴情報蓄積手段とを備える。